(57)【要約】【課題】複数のヒートシンクの各々が有する輻射熱が隣接するヒートシンク間に篭ることに起因して光源の光学性能が損なわれるのを抑制することが可能なプロジェクタを提供する。【解決手段】このＨＵＤ装置１００（プロジェクタ）は、赤色ＬＤ１１ａおよび緑色ＬＤ１１ｂと、赤色ＬＤ１１ａおよび緑色ＬＤ１１ｂから出光された投影画像に対応するＲＧＢ光を走査可能に構成された光走査部５０と、側面２５ｃを有し、赤色ＬＤ１１ａから発生した熱を放熱するヒートシンク２５と、側面２５ｃに対向する側面２６ｃを有し、緑色ＬＤ１１ｂから発生した熱を放熱するヒートシンク２６とを備える。そして、ヒートシンク２５の側面２５ｃとヒートシンク２６の側面２６ｃとは、赤色ＬＤ１１ａおよび緑色ＬＤ１１ｂから遠ざかる矢印Ｚ２方向に沿って離間間隔Ｌが増加するように構成されている。【選択図】図４
2016006931.tif 000002
【特許請求の範囲】
【請求項１】
第１光源部および第２光源部と、
前記第１光源部および前記第２光源部から出光された投影画像に対応する光を走査可能に構成された光走査部と、
第１対向面を有し、前記第１光源部から発生した熱を放熱する第１ヒートシンクと、
前記第１対向面に対向する第２対向面を有し、前記第２光源部から発生した熱を放熱する第２ヒートシンクとを備え、
前記第１ヒートシンクの前記第１対向面と前記第２ヒートシンクの前記第２対向面とは、前記第１光源部および前記第２光源部から遠ざかる方向に沿って離間間隔が増加するように構成されている、プロジェクタ。
【請求項２】
前記第１ヒートシンクの第１対向面および前記第２ヒートシンクの第２対向面のいずれか一方は他方に対して前記離間間隔を増加させるように傾斜している、請求項１に記載のプロジェクタ。
【請求項３】
前記第１ヒートシンクの第１対向面および前記第２ヒートシンクの第２対向面は、平坦面同士、平坦面および曲面、または、曲面同士が対向することによって、前記第１対向面と前記第１対向面に対して相対的に傾斜した状態の前記第２対向面との離間間隔が前記第１光源部および前記第２光源部から遠ざかる方向に沿って増加するように構成されている、請求項２に記載のプロジェクタ。
【請求項４】
前記第１ヒートシンクおよび前記第２ヒートシンクは、それぞれ、前記第１光源部および前記第２光源部から遠ざかる方向でかつ互いに略直交する第１方向、第２方向および第３方向に沿って延びるように形成されており、
前記第１対向面に対する前記第２対向面の離間間隔は、前記第１方向、前記第２方向または前記第３方向の少なくとも１つの方向に沿って増加するように構成されている、請求項１〜３のいずれか１項に記載のプロジェクタ。
【請求項５】
前記第１ヒートシンクおよび前記第２ヒートシンクは、第１フィン部および第２フィン部をそれぞれ有し、
少なくとも前記第１フィン部に対応する前記第１対向面の部分と前記第２フィン部に対応する前記第２対向面の部分との離間間隔が、前記第１光源部および前記第２光源部から遠ざかる方向に沿って増加するように構成されている、請求項１〜４のいずれか１項に記載のプロジェクタ。
【請求項６】
前記第１光源部を冷却するための第１ペルチェ素子と、前記第２光源部を冷却するための第２ペルチェ素子とをさらに備え、
前記第１光源部から発生した熱が前記第１ペルチェ素子を介して冷却される際の前記第１ヒートシンクの温度と、前記第２光源部から発生した熱が前記第２ペルチェ素子を介して冷却される際の前記第２ヒートシンクの温度とは、互いに異なる、請求項１〜５のいずれか１項に記載のプロジェクタ。
【請求項７】
前記第１対向面が有する反射率は、前記第１ヒートシンクの前記第１対向面以外の部分の反射率よりも大きく、かつ、前記第２対向面が有する反射率は、前記第２ヒートシンクの前記第２対向面以外の部分の反射率よりも大きい、請求項１〜６のいずれか１項に記載のプロジェクタ。
【請求項８】
第１光源部および第２光源部と、
前記第１光源部および前記第２光源部から出光された投影画像に対応する光を走査可能に構成された光走査部と、
第１対向面を有し、前記第１光源部から発生した熱を放熱する第１ヒートシンクと、
前記第１対向面に対向する第２対向面を有し、前記第２光源部から発生した熱を放熱する第２ヒートシンクとを備え、
前記第１ヒートシンクの前記第１対向面と前記第２ヒートシンクの前記第２対向面とは、前記第１光源部および前記第２光源部から遠ざかる方向に沿って離間間隔が増加するように構成されている、ヘッドアップディスプレイ装置。
【発明の詳細な説明】
【技術分野】
【０００１】
この発明は、プロジェクタおよびヘッドアップディスプレイ装置に関し、特に、複数の光源部と、各光源部から発生した熱を個々に放熱する複数のヒートシンクと、を備えたプロジェクタおよびヘッドアップディスプレイ装置に関する。
【背景技術】
【０００２】
従来、複数の光源部と、各光源部から発生した熱を個々に放熱する複数のヒートシンクと、を備えたプロジェクタおよびヘッドアップディスプレイ装置が知られている（たとえば、特許文献１参照）。
【０００３】
上記特許文献１には、レーザ光が照射されることにより緑色の可視光を発光する緑蛍光体（光源部）と、緑蛍光体から発生した熱を放熱する放熱板（ヒートシンク）とを備えた投射型画像表示装置（プロジェクタ）が開示されている。この特許文献１に記載の投射型画像表示装置では、放熱板が緑蛍光体の下面に取り付けられており、櫛歯状のフィンが外方向に延びている。なお、投射型画像表示装置には、緑蛍光体に加えて赤色光源と青色光源とが設けられている。そして、各光源からの光が光伝送部を介してスクリーンに照射されることにより、スクリーンにカラー画像が表示されるように構成されている。
【先行技術文献】
【特許文献】
【０００４】
【特許文献１】特開２０１１−１８６３５０号公報
【発明の概要】
【発明が解決しようとする課題】
【０００５】
上記特許文献１に記載された投射型画像表示装置では、具体的な記載はされていないものの、緑蛍光体用の放熱板に加えて、赤色光源および青色光源から発生した熱を放熱するための放熱板もそれぞれ設けられていると考えられる。ここで、装置本体内の配置レイアウトの関係から、各々の放熱板（ヒートシンク）を互いに隣接させて配置する場合があると考えられる。この場合、各々のヒートシンクが有する輻射熱が隣接するヒートシンク間に篭ることに起因して放熱性能が低下し、その結果、光源の光学性能が損なわれる場合があるという問題点がある。
【０００６】
この発明は、上記のような課題を解決するためになされたものであり、この発明の１つの目的は、複数のヒートシンクの各々が有する輻射熱が隣接するヒートシンク間に篭ることに起因して光源の光学性能が損なわれるのを抑制することが可能なプロジェクタおよびヘッドアップディスプレイ装置を提供することである。
【課題を解決するための手段】
【０００７】
上記目的を達成するために、この発明の第１の局面によるプロジェクタは、第１光源部および第２光源部と、第１光源部および第２光源部から出光された投影画像に対応する光を走査可能に構成された光走査部と、第１対向面を有し、第１光源部から発生した熱を放熱する第１ヒートシンクと、第１対向面に対向する第２対向面を有し、第２光源部から発生した熱を放熱する第２ヒートシンクとを備え、第１ヒートシンクの第１対向面と第２ヒートシンクの第２対向面とは、第１光源部および第２光源部から遠ざかる方向に沿って離間間隔が増加するように構成されている。
【０００８】
この発明の第１の局面によるプロジェクタでは、上記のように、第１対向面を有する第１ヒートシンクと、第１対向面に対向する第２対向面を有する第２ヒートシンクとを備え、第１ヒートシンクの第１対向面と第２ヒートシンクの第２対向面とを、第１光源部および第２光源部から遠ざかる方向に沿って離間間隔が増加するように構成する。これにより、第１ヒートシンクの第１対向面または第２ヒートシンクの第２対向面のいずれか一方から他方に向かう輻射熱は、第１対向面と第２対向面との離間間隔が増加する方向に沿って第１対向面または第２対向面における反射位置を移動しながら反射を繰り返す。すなわち、第１対向面と第２対向面との離間間隔が一定に保たれ輻射熱が同じ反射位置で第１対向面と第２対向面との間を往復する場合と異なり、輻射熱を第１光源部および第２光源部から遠ざかる方向に沿って移動させて最終的に第１ヒートシンクおよび第２ヒートシンクの外部へと逃がすことができる。これにより、互いに隣接する第１ヒートシンクと第２ヒートシンクとの間に輻射熱が篭ることに起因して放熱性能が低下するのを抑制することができる。その結果、光源（第１光源部および第２光源部）が有する明るさや色合いなどの光学性能が損なわれるのを抑制することができる。また、放熱性能が低下するのが抑制される分、第１ヒートシンクおよび第２ヒートシンクをより隣接させて配置することができる。これにより、プロジェクタの小型化を行うことができる。
【０００９】
上記第１の局面によるプロジェクタにおいて、好ましくは、第１ヒートシンクの第１対向面および第２ヒートシンクの第２対向面のいずれか一方は他方に対して離間間隔を増加させるように傾斜している。このように構成すれば、第１対向面と第２対向面との離間間隔を、第１光源部および第２光源部から遠ざかる方向に沿って容易に増加させることができる。したがって、第１ヒートシンクの第１対向面または第２ヒートシンクの第２対向面のいずれか一方から他方に向かう輻射熱を、第１対向面と第２対向面との離間間隔が増加する方向に反射させながら第１ヒートシンクおよび第２ヒートシンクの外部へと容易に逃がすことができる。
【００１０】
この場合、好ましくは、第１ヒートシンクの第１対向面および第２ヒートシンクの第２対向面は、平坦面同士、平坦面および曲面、または、曲面同士が対向することによって、第１対向面と第１対向面に対して相対的に傾斜した状態の第２対向面との離間間隔が第１光源部および第２光源部から遠ざかる方向に沿って増加するように構成されている。このように構成すれば、第１対向面と第２対向面との離間間隔を、第１光源部および第２光源部から遠ざかる方向に沿って確実に増加させることができる。特に、第１対向面または第２対向面の少なくとも一方を曲面により構成する場合においては、繰り返し反射される輻射熱を第１ヒートシンクおよび第２ヒートシンクのより外部へ容易に導くことができる。
【００１１】
上記第１の局面によるプロジェクタにおいて、好ましくは、第１ヒートシンクおよび第２ヒートシンクは、それぞれ、第１光源部および第２光源部から遠ざかる方向でかつ互いに略直交する第１方向、第２方向および第３方向に沿って延びるように形成されており、第１対向面に対する第２対向面の離間間隔は、第１方向、第２方向または第３方向の少なくとも１つの方向に沿って増加するように構成されている。このように構成すれば、第１ヒートシンクおよび第２ヒートシンクがどのような形状を有していても、第１方向、第２方向または第３方向の少なくとも１つの方向に沿って増加する離間間隔を有する第１対向面および第２対向面の対向空間を利用して輻射熱を外部へと逃がすことができる。また、第１方向、第２方向および第３方向の全てにおいて第１対向面と第２対向面との離間間隔が増加する場合には、第１方向、第２方向および第３方向の各方向に沿って延びる対向空間を利用して輻射熱を外部へと逃がすことができる。これにより、輻射熱が互いに影響し合うことに起因した放熱性能の低下を最大限に抑制することができる。
【００１２】
上記第１の局面によるプロジェクタにおいて、好ましくは、第１ヒートシンクおよび第２ヒートシンクは、第１フィン部および第２フィン部をそれぞれ有し、少なくとも第１フィン部に対応する第１対向面の部分と第２フィン部に対応する第２対向面の部分との離間間隔が、第１光源部および第２光源部から遠ざかる方向に沿って増加するように構成されている。このように構成すれば、少なくとも第１フィン部に対応する第１対向面の部分または第２フィン部に対応する第２対向面の部分のいずれか一方から他方に向かう輻射熱を、第１フィン部と第２フィン部との離間間隔が増加する方向に反射させながら第１ヒートシンクおよび第２ヒートシンクの外部へと逃がすことができる。すなわち、第１フィン部および第２フィン部に輻射熱が篭るのが抑制されるので、第１ヒートシンクおよび第２ヒートシンクの放熱性能を確実に発揮させることができる。
【００１３】
上記第１の局面によるプロジェクタにおいて、好ましくは、第１光源部を冷却するための第１ペルチェ素子と、第２光源部を冷却するための第２ペルチェ素子とをさらに備え、第１光源部から発生した熱が第１ペルチェ素子を介して冷却される際の第１ヒートシンクの温度と、第２光源部から発生した熱が第２ペルチェ素子を介して冷却される際の第２ヒートシンクの温度とは、互いに異なる。このように構成すれば、第１ペルチェ素子と第２ペルチェ素子とを個別制御して第１光源部と第２光源部とを互いに異なる温度帯で維持する場合においても、相対的な温度差を有する第１ヒートシンクおよび第２ヒートシンク間の輻射熱の影響を効果的に抑制することができる。すなわち、第１ヒートシンクおよび第２ヒートシンクの放熱性能が良好に維持されるので、プロジェクタが有する明るさや色合いなどの光学性能を維持することができる。
【００１４】
上記第１の局面によるプロジェクタにおいて、好ましくは、第１対向面が有する反射率は、第１ヒートシンクの第１対向面以外の部分の反射率よりも大きく、かつ、第２対向面が有する反射率は、第２ヒートシンクの第２対向面以外の部分の反射率よりも大きい。このように構成すれば、第１対向面と第２対向面との間での輻射熱の反射をより効果的に生じさせて、輻射熱を第１ヒートシンクおよび第２ヒートシンクの外部へと逃がすことができる。この際、第１対向面からの熱放射が第１対向面以外の部分よりも抑制されるとともに、第２対向面からの熱放射が第２対向面以外の部分よりも抑制される。したがって、第１対向面および第２対向面間の輻射伝熱自体を抑制することができるとともに、輻射熱が生じても第１対向面と第２対向面との間で効果的に反射させて外部に逃がすことができる。
【００１５】
この発明の第２の局面によるヘッドアップディスプレイ装置は、第１光源部および第２光源部と、第１光源部および第２光源部から出光された投影画像に対応する光を走査可能に構成された光走査部と、第１対向面を有し、第１光源部から発生した熱を放熱する第１ヒートシンクと、第１対向面に対向する第２対向面を有し、第２光源部から発生した熱を放熱する第２ヒートシンクとを備え、第１ヒートシンクの第１対向面と第２ヒートシンクの第２対向面とは、第１光源部および第２光源部から遠ざかる方向に沿って離間間隔が増加するように構成されている。
【００１６】
この発明の第２の局面によるヘッドアップディスプレイ装置では、上記のように、第１対向面を有する第１ヒートシンクと、第１対向面に対向する第２対向面を有する第２ヒートシンクとを備え、第１ヒートシンクの第１対向面と第２ヒートシンクの第２対向面とを、第１光源部および第２光源部から遠ざかる方向に沿って離間間隔が増加するように構成する。これにより、第１ヒートシンクの第１対向面または第２ヒートシンクの第２対向面のいずれか一方から他方に向かう輻射熱は、第１対向面と第２対向面との離間間隔が増加する方向に沿って反射位置を移動しながら反射を繰り返す。そして、最終的に、輻射熱を第１ヒートシンクおよび第２ヒートシンクの外部へと逃がすことができる。これにより、第１ヒートシンクと第２ヒートシンクとの間に輻射熱が篭ることに起因して放熱性能が低下するのを抑制することができる。その結果、光源（第１光源部および第２光源部）が有する明るさや色合いなどの光学性能が損なわれるのを抑制することができる。また、放熱性能が低下するのが抑制される分、第１ヒートシンクおよび第２ヒートシンクをより隣接させて配置することができ、ヘッドアップディスプレイ装置の小型化を行うことができる。
【発明の効果】
【００１７】
本発明によれば、上記のように、複数のヒートシンクの各々が有する輻射熱が隣接するヒートシンク間に篭ることに起因して光源の光学性能が損なわれるのを抑制することが可能なプロジェクタおよびヘッドアップディスプレイ装置を提供することができる。
【図面の簡単な説明】
【００１８】
【図１】本発明の第１実施形態によるＨＵＤ装置が自動車に搭載された状態を示した図である。
【図２】本発明の第１実施形態によるＨＵＤ装置の全体構成を示したブロック図である。
【図３】本発明の第１実施形態によるＨＵＤ装置に搭載される光源装置の構成を示した斜視図である。
【図４】本発明の第１実施形態によるＨＵＤ装置に搭載される光源装置の全体構成を示した斜視図である。
【図５】本発明の第１実施形態によるＨＵＤ装置に搭載される光源装置の構成を示した断面図である。
【図６】本発明の第２実施形態によるＨＵＤ装置に搭載される光源装置の全体構成を示した斜視図である。
【図７】本発明の第２実施形態によるＨＵＤ装置に搭載される光源装置の構成を示した断面図である。
【図８】本発明の第３実施形態によるＨＵＤ装置に搭載される光源装置の全体構成を示した上面図である。
【図９】本発明の第４実施形態によるＨＵＤ装置に搭載される光源装置を下面側から見た場合の構造を示した斜視図である。
【発明を実施するための形態】
【００１９】
以下、本発明を具体化した実施形態を図面に基づいて説明する。
【００２０】
（第１実施形態）
まず、図１〜図５を参照して、本発明の第１実施形態によるヘッドアップディスプレイ（ＨＵＤ）装置１００の構成について説明する。なお、ヘッドアップディスプレイ装置１００（以降、ＨＵＤ装置１００と称する）は、本発明の「プロジェクタ」の一例である。
【００２１】
本発明の第１実施形態によるＨＵＤ装置１００は、図１に示すように、自動車１０１に搭載可能に構成されている。また、ＨＵＤ装置１００は、図２に示すように、光源装置１０と、制御部３０と、光走査部５０とを備えている。制御部３０により光源装置１０が駆動されるとともに、光源装置１０から出光された投影画像に対応するレーザ光（ＲＧＢ光）が光走査部５０によってフロントガラス１０２に走査（照射）される。これにより、図１に示すように、カーナビゲーション情報や自動車１０１の走行状態に関する情報などがフロントガラス１０２に映し出されるように構成されている。したがって、ユーザは、フロントガラス１０２の前方領域（自動車１０１の外側）に形成された虚像（投影画像）を視認しながら自動車１０１の運転操作を行うことが可能である。
【００２２】
また、光源装置１０は、図３に示すように、後述する光源部および複数の光学部品類（図２参照）が内部に配置されたハウジング部２０と、ハウジング部２０全体を収容するケース本体部２１（図５参照）とを備えている。なお、図４においては、説明の都合上、ケース本体部２１（図５参照）の図示を省略してハウジング部２０およびその下部の構造を図示している。
【００２３】
また、光源装置１０は、図４および図５に示すように、ケース本体部２１（図５参照）の下面側に配置された伝熱部材２２ａおよび２２ｂと、伝熱部材２２ａおよび２２ｂの下方（Ｚ２側）に配置されたペルチェ素子２３ａ（Ｙ１側）およびペルチェ素子２３ｂ（Ｙ２側）と、ペルチェ素子２３ａおよび２３ｂの下方（Ｚ２側）に配置されたヒートシンク２５（Ｙ１側）およびヒートシンク２６（Ｙ２側）とをさらに備えている。また、各々が金属（アルミニウム）製のヒートシンク２５および２６は、Ｙ方向において互いに隣接するように配置されている。なお、ペルチェ素子２３ａおよびペルチェ素子２３ｂは、本発明の「第１ペルチェ素子」および「第２ペルチェ素子」の一例である。なお、ヒートシンク２５およびヒートシンク２６は、それぞれ、本発明の「第１ヒートシンク」および「第２ヒートシンク」の一例である。
【００２４】
また、光源装置１０は、図２および図３に示すように、光源部として、赤色ＬＤ１１ａ、緑色ＬＤ１１ｂおよび青色ＬＤ１１ｃを有している。なお、赤色ＬＤ１１ａおよび緑色ＬＤ１１ｂは、それぞれ、本発明の「第１光源部」および「第２光源部」の一例である。また、青色ＬＤ１１ｃは、本発明の「第２光源部」の一例である。
【００２５】
また、図４および図５に示すように、赤色ＬＤ１１ａは、伝熱部材２２ａおよびペルチェ素子２３ａを介してヒートシンク２５との熱的な接続が図られている。また、緑色ＬＤ１１ｂは、伝熱部材２２ｂおよびペルチェ素子２３ｂを介してヒートシンク２６との熱的な接続が図られている。一方、青色ＬＤ１１ｃは、伝熱部材２２ｃのみを介してヒートシンク２６との熱的な接続が図られている。なお、図５では、光源装置１０を赤色ＬＤ１１ａの部分でＹ方向に沿って切断した断面構造を示している。したがって、緑色ＬＤ１１ｂ（図４参照）は、図５においては、若干紙面奥側に配置されている。ただし、緑色ＬＤ１１ｂに熱的に接続された伝熱部材２２ａおよびペルチェ素子２３ｂについては、その３次元的な形状から図５においても図示されている。
【００２６】
ここで、ペルチェ素子２３ａは、素子駆動部３４（図２参照）から電力が供給されることによって、一方表面側（Ｚ１側）となる赤色ＬＤ１１ａ側の熱を吸熱して温度を低下させるとともに、吸熱分を他方表面側（Ｚ２側）に接続されたヒートシンク２５を介して放熱するように構成されている。すなわち、赤色ＬＤ１１ａから発せられるとともに伝熱部材２２ａに伝えられた熱は、ペルチェ素子２３ａの冷却機能を利用してヒートシンク２５側へと移動されて大気に放熱される。
【００２７】
また、ペルチェ素子２３ｂについても同様であり、素子駆動部３４（図２参照）から電力が供給されることによって、一方表面側（Ｚ１側）となる緑色ＬＤ１１ｂ側の熱を吸熱して温度を低下させるとともに、吸熱分を他方表面側（Ｚ２側）に接続されたヒートシンク２６を介して放熱するように構成されている。すなわち、緑色ＬＤ１１ｂから発せられるとともに伝熱部材２２ｂに伝えられた熱は、ペルチェ素子２３ｂの冷却機能を利用してヒートシンク２６側へと移動されて大気に放熱される。このように、ペルチェ素子２３ａおよび２３ｂは、赤色ＬＤ１１ａおよび緑色ＬＤ１１ｂをそれぞれ冷却する機能を有している。
【００２８】
なお、青色ＬＤ１１ｃには、冷却用のペルチェ素子は設けられていない。したがって、青色ＬＤ１１ｃの熱が伝熱部材２２ｃを介して直接的にヒートシンク２６（Ｙ２側）に伝達されるとともにヒートシンク２６から自然に大気放熱される。これらの構成により、光源装置１０における光源部（赤色ＬＤ１１ａ、緑色ＬＤ１１ｂおよび青色ＬＤ１１ｃ）の熱は、ヒートシンク２５および２６を介してＨＵＤ装置１００の外部に放熱されるように構成されている。
【００２９】
なお、ＨＵＤ装置１００では、ペルチェ素子２３ａおよび２３ｂは、素子駆動部３４（図２参照）から供給される電力に応じて、吸熱量を調整可能に構成されている。したがって、ＨＵＤ装置１００の作動時には、赤色ＬＤ１１ａから発生した熱がペルチェ素子２３ａを介して冷却される際のヒートシンク２５の温度と、緑色ＬＤ１１ｂから発生した熱がペルチェ素子２３ｂを介して冷却され、かつ、青色ＬＤ１１ｃから発生した熱が直接的に冷却される際のヒートシンク２６の温度とは、互いに異なるように運転制御される。具体的には、駆動中の赤色ＬＤ１１ａが約５℃以上約１０℃以下の状態を保つようにペルチェ素子２３ａの冷却能力が制御される。また、駆動中の緑色ＬＤ１１ｂが約２５℃の状態を保つようにペルチェ素子２３ｂの冷却能力が制御される。
【００３０】
また、図４および図５に示すように、ヒートシンク２５は、Ｘ−Ｙ平面に沿って拡がる上面２５ａおよび下面２５ｂと、上面２５ａと下面２５ｂとをＺ方向に接続する側面２５ｃとを有している。また、側面２５ｃは、概略Ｚ方向に沿って直線的に延びている。また、ヒートシンク２５は、上面２５ａから下面２５ｂに向かってヒートシンク２５の上部中ほどから下方（矢印Ｚ２方向）に延びる薄板状のフィン部２５ｄを有している。すなわち、側面２５ｃは、複数枚のフィン部２５ｄの櫛歯状の断面形状の一部を構成している。同様に、ヒートシンク２６は、Ｘ−Ｙ平面に沿って拡がる上面２６ａおよび下面２６ｂと、上面２６ａと下面２６ｂとを接続する側面２６ｃと、薄板状のフィン部２６ｄとを有している。また、側面２６ｃは、概略Ｚ方向に沿って直線的に延びている。また、側面２６ｃは、複数枚のフィン部２６ｄの櫛歯状の断面形状の一部を構成している。なお、側面２５ｃおよび側面２６ｃは、それぞれ、本発明の「第１対向面」および「第２対向面」の一例である。また、フィン部２５ｄおよびフィン部２６ｄは、それぞれ、本発明の「第１フィン部」および「第２フィン部」の一例である。
【００３１】
そして、ヒートシンク２５および２６は、側面２５ｃと側面２６ｃとがＹ方向に沿って離間間隔Ｌを有して互いに対向するように配置されている。ここで、第１実施形態では、側面２５ｃと側面２６ｃとは、赤色ＬＤ１１ａ（ペルチェ素子２３）および緑色ＬＤ１１ｂ（ペルチェ素子２３ｂ）から下方となる矢印Ｚ２方向に遠ざかるにつれて離間間隔Ｌが徐々に増加するように配置されている。すなわち、図５に示すように、赤色ＬＤ１１ａに最も近い上面２５ａ近傍と緑色ＬＤ１１ｂに最も近い上面２６ａ近傍との間の間隔Ｌ１は、最も小さい。また、赤色ＬＤ１１ａから矢印Ｚ２方向に最も遠ざけられた下面２５ｂ近傍と緑色ＬＤ１１ｂから矢印Ｚ２方向に最も遠ざけられた下面２６ｂ近傍との間の間隔Ｌ２は、最も大きい。
【００３２】
また、第１実施形態では、図４および図５に示すように、ヒートシンク２５の側面２５ｃおよびヒートシンク２６の側面２６ｃのいずれか一方を他方に対して離間間隔Ｌを増加させるように傾斜させている。また、フィン部２５ｄの断面を含む側面２５ｃとフィン部２６ｄの断面を含む側面２６ｃとは、互いに平坦面同士を対向させている。すなわち、少なくともフィン部２５ｄに対応する側面２５ｃの部分とフィン部２６ｄに対応する側面２６ｃの部分との離間間隔Ｌが、赤色ＬＤ１１ａおよび前記緑色ＬＤ１１ｂから遠ざかる矢印Ｚ２方向に沿って増加している。これにより、図５に示すように、フィン部２５ｄを含めた側面２５ｃと側面２５ｃに対して相対的に傾斜した状態のフィン部２６ｄを含めた側面２６ｃとの離間間隔Ｌが、赤色ＬＤ１１ａおよび緑色ＬＤ１１ｂから遠ざかる矢印Ｚ２方向に沿って間隔Ｌ１（最小離間間隔）から間隔Ｌ２（最大離間間隔）へと増加するように構成されている。
【００３３】
ＨＵＤ装置１００では、側面２５ｃと側面２６ｃとが互いに平行ではなく一方が他方に対して傾斜する配置関係にある。したがって、たとえば、ヒートシンク２５が有する熱（温度）が側面２５ｃを介して輻射伝熱によってヒートシンク２６の側面２６ｃに伝えられたとしても、側面２６ｃ側では、側面２５ｃからの熱は側面２５ｃの元々の熱源（熱の放射源）の位置よりも下方（矢印Ｚ２方向）に反射される。また、側面２６ｃで反射された熱（温度）は、側面２５ｃ側では、側面２６ｃの反射位置よりも下方（矢印Ｚ２方向）に反射される。側面２５ｃと側面２６ｃとの間ではこのような輻射伝熱が繰り返されるので、最終的に、側面２５ｃまたは側面２６ｃの下端側（Ｚ２側）から外部に熱が逃がされる。したがって、側面２５ｃと側面２６ｃとが平行（離間間隔Ｌが一定）であるために同じ反射位置で輻射伝熱が繰り返されて熱が篭る場合と異なり、ヒートシンク２５および２６を互いに隣接させていても熱篭りが抑制されるとともに輻射熱を容易に外部に逃がすことが可能に構成されている。
【００３４】
なお、図４に示すように、側面２５ｃに対する側面２６ｃの傾斜状態は、ヒートシンク２５および２６のＸ１側（後方側）からＸ２側（前方側）に亘って連続性を有している。すなわち、側面２５ｃおよび側面２６ｃは、各々が単一の平坦面からなる。したがって、側面２５ｃおよび側面２６ｃにおいては、Ｘ方向のどの位置においても輻射伝熱が赤色ＬＤ１１ａおよび緑色ＬＤ１１ｂから遠ざかる矢印Ｚ２方向へと進むので、ヒートシンク２５および２６の全体に亘って側面２５ｃおよび側面２６ｃ間に輻射熱が篭るのが抑制されるように構成されている。
【００３５】
また、第１実施形態では、側面２５ｃが有する反射率は、ヒートシンク２５の側面２５ｃ以外の部分の反射率よりも大きい。また、側面２６ｃが有する反射率は、ヒートシンク２６の側面２６ｃ以外の部分の反射率よりも大きい。なお、ヒートシンク２５の側面２５ｃ以外の部分とは、上面２５ａや下面２５ｂに加えて、側面２５ｃから内部に入り込んだ凹凸形状を有するフィン部２５ｄの部分を示す。同様に、ヒートシンク２６の側面２６ｃ以外の部分とは、上面２６ａや下面２６ｂに加えて、側面２６ｃから内部に入り込んだ凹凸形状を有するフィン部２６ｄの部分を示す。すなわち、側面２５ｃおよび２６ｃは、金属（アルミニウム）表面が無垢の状態であり、よく磨かれることによって光り輝くような表面状態を有している。これに対して、側面２５ｃおよび２６ｃ以外の部分は、アルマイト処理などが行われて光沢（反射率）が低下されている。
【００３６】
これにより、側面２５ｃと側面２６ｃとの間での輻射熱が効果的に反射されて輻射熱がヒートシンク２５およびヒートシンク２６の外部へと効率よく逃がされるように構成されている。また、側面２５ｃおよび２６ｃが無垢の状態であるので、側面２５ｃからの熱放射が側面２５ｃ以外の部分よりも抑制されるとともに、側面２６ｃからの熱放射が側面２６ｃ以外の部分よりも抑制される。したがって、側面２５ｃと側面２６ｃとの間の熱放射が抑制されるとともに、たとえ、輻射熱が生じても側面２５ｃと側面２６ｃとの間で効果的に反射させて輻射熱を外部に逃がすことが可能なように構成されている。したがって、ヒートシンク２５およびヒートシンク２６の放熱性能が適切に維持される。また、放熱性能が適切に維持されるので、光源装置１０（赤色ＬＤ１１ａ、緑色ＬＤ１１ｂおよび青色ＬＤ１１ｃ）が有する明るさや色合いなどの光学性能が損なわれにくくなる。
【００３７】
また、図２に示すように、光源装置１０は、赤色ＬＤ１１ａ、緑色ＬＤ１１ｂおよび青色ＬＤ１１ｃと、コリメートレンズ１２ａ〜１２ｃと、偏光プリズム１３ａ〜１３ｃと、ビーム整形プリズム１４と、集光レンズ１５とを有している。また、光源装置１０は、温度センサ１７ａおよび１７ｂと、ＦＰＣ（フレキシブルプリント基板）１８ａ〜１８ｃとをさらに有している。
【００３８】
コリメートレンズ１２ａ〜１２ｃは、赤色ＬＤ１１ａ、緑色ＬＤ１１ｂおよび青色ＬＤ１１ｃの各々から出射されたレーザ光が互いに平行な光軸を有するように補正する機能を有する。偏光プリズム１３ａ〜１３ｃは、コリメートレンズ１２ａ〜１２ｃにより互いに平行にされた３つのレーザ光（ＲＧＢ光）を、同一の光軸に揃える機能を有する。また、ビーム整形プリズム１４は、偏光プリズム１３ｃの出射面とビーム整形プリズム１４の出射面とによりレーザ光のスポット形状をたとえば楕円形状から略円形状に整形するように構成されている。また、ビーム整形プリズム１４から出射されたレーザ光は、集光レンズ１５を介して光走査部５０に入射するように構成されている。
【００３９】
温度センサ１７ａは、赤色ＬＤ１１ａの近傍に配置されており、赤色ＬＤ１１ａの温度を検出する機能を有する。そして、温度センサ１７ａは、後述するメインＣＰＵ３１に電気的に接続されており、検出した温度情報をメインＣＰＵ３１に伝達するように構成されている。温度センサ１７ｂは、緑色ＬＤ１１ｂの温度を検出する機能を有しており、検出した温度情報をメインＣＰＵ３１に伝達するように構成されている。
【００４０】
ＦＰＣ１８ａ〜１８ｃは、後述するＬＤ（レーザダイオード）ドライバ２３ｃと赤色ＬＤ１１ａ〜青色ＬＤ１１ｃとのそれぞれの間に設けられている。これにより、ＬＤドライバ３３ｃから赤色ＬＤ１１ａ〜青色ＬＤ１１ｃの各々に個別に電力が供給されるように構成されている。
【００４１】
また、制御部３０は、図２に示すように、メインＣＰＵ３１と、操作部３２と、表示制御部３３と、素子駆動部３４とを含んでいる。そして、メインＣＰＵ３１は、ＨＵＤ装置１００の各部に制御信号を伝達することによって各部を制御するように構成されている。
【００４２】
メインＣＰＵ３１は、温度センサ１７ａおよび１７ｂから赤色ＬＤ１１ａおよび緑色ＬＤ１１ｂの温度の情報を取得して、取得した温度情報に基づいて、ペルチェ素子２３ａおよび２３ｂの吸熱量（赤色ＬＤ１１ａおよび緑色ＬＤ１１ｂの各々の温度）を制御するように構成されている。また、操作部３２は、ユーザによる操作を受け付け可能に構成されている。たとえば、操作部３２は、ＨＵＤ装置１００の電源を入れるため操作、フロントガラス１０２（図１参照）に投影される画像の投影角度を変更する操作、および、フロントガラス１０２に投影される画像の解像度を変更する操作などが操作部３２を介して受け付けられる。
【００４３】
また、表示制御部３３は、映像処理部３３ａと、光源制御部３３ｂと、ＬＤドライバ３３ｃと、ミラー制御部３３ｄと、ミラードライバ３３ｅとにより構成されている。そして、映像処理部３３ａは、外部から入力された映像信号に基づいて画像情報を光源制御部３３ｂおよびミラー制御部３３ｄに出力する。また、光源制御部３３ｂは、映像処理部３３ａからの画像情報に基づいて、ＬＤドライバ３３ｃを制御することにより、赤色ＬＤ１１ａ、緑色ＬＤ１１ｂおよび青色ＬＤ１１ｃによるレーザ光の照射を制御するように構成されている。
【００４４】
ミラー制御部３３ｄは、所定の制御信号をミラードライバ３３ｅに伝達することにより、ミラードライバ３３ｅを制御するように構成されている。また、ミラードライバ３３ｅは、ミラー制御部３３ｄからの制御信号に基づいて、後述するＭＥＭＳミラー５１および５２に電力を供給することにより、ＭＥＭＳミラー５１および５２を駆動させるように構成されている。素子駆動部３４は、メインＣＰＵ３１からの制御信号に基づいて、ペルチェ素子２３ａおよび２３ｂに電力を供給してペルチェ素子２３ａおよび２３ｂを駆動させる役割を有する。
【００４５】
また、図２に示すように、光走査部５０には、ＭＥＭＳミラー５１および５２が設けられている。そして、ＭＥＭＳミラー５１および５２は、光源装置１０から照射されたレーザ光（ＲＧＢ光）を、フロントガラス１０２（図１参照）の水平方向および垂直方向に走査して、画像をフロントガラス１０２に投影するように構成されている。このようにして、ＨＵＤ装置１００は構成されている。
【００４６】
第１実施形態では、以下のような効果を得ることができる。
【００４７】
第１実施形態では、上記のように、側面２５ｃを有するヒートシンク２５と、側面２５ｃに対向する側面２６ｃを有するヒートシンク２６とを備え、ヒートシンク２５の側面２５ｃとヒートシンク２６の側面２６ｃとを、赤色ＬＤ１１ａおよび緑色ＬＤ１１ｂから遠ざかる方向に沿って離間間隔Ｌが増加するように構成する。これにより、ヒートシンク２５の側面２５ｃまたはヒートシンク２６の側面２６ｃのいずれか一方から他方に向かう輻射熱は、側面２５ｃと側面２６ｃとの離間間隔Ｌが増加する方向に沿って側面２５ｃまたは側面２６ｃにおける反射位置を移動しながら反射を繰り返す。すなわち、側面２５ｃと側面２６ｃとが平行に保たれ（離間間隔Ｌが一定に保たれ）輻射熱が同じ反射位置で側面２５ｃと側面２６ｃとの間を往復する場合と異なり、輻射熱を赤色ＬＤ１１ａおよび緑色ＬＤ１１ｂから遠ざかる矢印Ｚ２方向に沿って移動させて最終的にヒートシンク２５およびヒートシンク２６の外部へと逃がすことができる。これにより、互いに隣接するヒートシンク２５とヒートシンク２６との間に輻射熱が篭ることに起因して放熱性能が低下するのを抑制することができる。その結果、光源装置１０の光源（赤色ＬＤ１１ａ、緑色ＬＤ１１ｂおよび青色ＬＤ１１ｃ）が有する明るさや色合いなどの光学性能が損なわれるのを抑制することができる。また、放熱性能が低下するのが抑制される分、ヒートシンク２５およびヒートシンク２６をより隣接させて配置することができる。これにより、ＨＵＤ装置１００の小型化を行うことができる。
【００４８】
また、第１実施形態では、ヒートシンク２５の側面２５ｃおよびヒートシンク２６の側面２６ｃのいずれか一方を他方に対して離間間隔Ｌを増加させるように傾斜させる。これにより、側面２５ｃと側面２６ｃとの離間間隔Ｌを、赤色ＬＤ１１ａおよび緑色ＬＤ１１ｂから遠ざかる矢印Ｚ２方向に沿って容易に増加させることができる。したがって、ヒートシンク２５の側面２５ｃまたはヒートシンク２６の側面２６ｃのいずれか一方から他方に向かう輻射熱を、側面２５ｃと側面２６ｃとの離間間隔Ｌが増加する矢印Ｚ２方向に反射させながらヒートシンク２５およびヒートシンク２６の外部へと容易に逃がすことができる。
【００４９】
また、第１実施形態では、ヒートシンク２５の側面２５ｃおよびヒートシンク２６の側面２６ｃを、平坦面同士を対向させることによって側面２５ｃと側面２５ｃに対して相対的に傾斜した状態の側面２６ｃとの離間間隔Ｌが赤色ＬＤ１１ａおよび緑色ＬＤ１１ｂから遠ざかる矢印Ｚ２方向に沿って増加するように構成する。これにより、側面２５ｃと側面２６ｃとの離間間隔Ｌを、赤色ＬＤ１１ａおよび緑色ＬＤ１１ｂから遠ざかる矢印Ｚ２方向に沿って確実に増加させることができる。
【００５０】
また、第１実施形態では、ヒートシンク２５およびヒートシンク２６は、それぞれ、赤色ＬＤ１１ａおよび緑色ＬＤ１１ｂから遠ざかる方向でかつ互いに略直交するＸ方向、Ｙ方向およびＺ方向に沿って延びるように形成されている。そして、側面２５ｃに対する側面２６ｃの離間間隔Ｌを矢印Ｚ２方向に沿って増加するように構成する。これにより、ヒートシンク２５およびヒートシンク２６がどのような形状を有していても、少なくとも矢印Ｚ２方向に沿って増加する離間間隔Ｌを有する側面２５ｃおよび側面２６ｃの対向空間を利用して輻射熱を外部へと逃がすことができる。
【００５１】
また、第１実施形態では、ヒートシンク２５およびヒートシンク２６は、フィン部２５ｄおよびフィン部２６ｄをそれぞれ有し、少なくともフィン部２５ｄに対応する側面２５ｃの部分とフィン部２６ｄに対応する側面２６ｃの部分との離間間隔Ｌを、赤色ＬＤ１１ａおよび緑色ＬＤ１１ｂから遠ざかる矢印Ｚ２方向に沿って増加するように構成する。これにより、少なくともフィン部２５ｄに対応する側面２５ｃの部分またはフィン部２６ｄに対応する側面２６ｃの部分のいずれか一方から他方に向かう輻射熱を、フィン部２５ｄとフィン部２６ｄとの離間間隔Ｌが増加する矢印Ｚ２方向に反射させながらヒートシンク２５およびヒートシンク２６の外部へと逃がすことができる。すなわち、フィン部２５ｄおよびフィン部２６ｄに輻射熱が篭るのが抑制されるので、ヒートシンク２５およびヒートシンク２６の放熱性能を確実に発揮させることができる。
【００５２】
また、第１実施形態では、赤色ＬＤ１１ａを冷却するためのペルチェ素子２３ａと、緑色ＬＤ１１ｂを冷却するためのペルチェ素子２３ｂとを備える。そして、赤色ＬＤ１１ａから発生した熱がペルチェ素子２３ａを介して冷却される際のヒートシンク２５の温度と、緑色ＬＤ１１ｂから発生した熱がペルチェ素子２３ｂを介して冷却される際のヒートシンク２６の温度とを互いに異なるようにＨＵＤ装置１００を構成する。これにより、ペルチェ素子２３ａとペルチェ素子２３ｂとを個別制御して赤色ＬＤ１１ａと緑色ＬＤ１１ｂとを互いに異なる温度帯で維持する場合においても、相対的な温度差を有するヒートシンク２５およびヒートシンク２６間の輻射熱の影響を効果的に抑制することができる。すなわち、ヒートシンク２５およびヒートシンク２６の放熱性能が良好に維持されるので、ＨＵＤ装置１００（光源装置１０）が有する明るさや色合いなどの光学性能を維持することができる。
【００５３】
また、第１実施形態では、側面２５ｃが有する反射率をヒートシンク２５の側面２５ｃ以外の部分の反射率よりも大きく構成する。また、側面２６ｃが有する反射率をヒートシンク２６の側面２６ｃ以外の部分の反射率よりも大きく構成する。これにより、側面２５ｃと側面２６ｃとの間での輻射熱の反射をより効果的に生じさせて、輻射熱をヒートシンク２５およびヒートシンク２６の外部へと逃がすことができる。この際、側面２５ｃからの熱放射が側面２５ｃ以外の部分よりも抑制されるとともに、側面２６ｃからの熱放射が側面２６ｃ以外の部分よりも抑制される。したがって、側面２５ｃおよび側面２６ｃ間の輻射伝熱自体を抑制することができるとともに、輻射熱が生じても側面２５ｃと側面２６ｃとの間で効果的に反射させて外部に逃がすことができる。
【００５４】
（第２実施形態）
次に、図６および図７を参照して、本発明の第２実施形態について説明する。この第２実施形態によるヘッドアップディスプレイ（ＨＵＤ）装置２００では、一方の側面２２５ｃが曲面を有するようにヒートシンク２２５を構成した例について説明する。なお、図中において、上記第１実施形態と同様の構成には、第１実施形態と同じ符号を付して図示している。なお、ＨＵＤ装置２００は、本発明の「プロジェクタ」の一例である。
【００５５】
本発明の第２実施形態によるＨＵＤ装置２００は、図６に示すように、ペルチェ素子２３ａおよび２３ｂの下方（Ｚ２側）に配置されたヒートシンク２２５および２２６を備えている。なお、ヒートシンク２２５およびヒートシンク２２６は、それぞれ、本発明の「第１ヒートシンク」および「第２ヒートシンク」の一例である。
【００５６】
Ｙ１側に配置されたヒートシンク２２５は、単一方向に曲げられた曲面からなる側面２２５ｃを有している。また、Ｙ２側に配置されたヒートシンク２２６は、単一の平坦面からなる側面２２６ｃを有している。また、側面２２５ｃは、櫛歯状のフィン部２２５ｄを有するとともに、側面２２６ｃは、櫛歯状のフィン部２２６ｄを有している。なお、側面２２５ｃおよび側面２２６ｃは、それぞれ、本発明の「第１対向面」および「第２対向面」の一例である。また、フィン部２２５ｄおよびフィン部２２６ｄは、それぞれ、本発明の「第１フィン部」および「第２フィン部」の一例である。
【００５７】
そして、互いに対向する側面２２５ｃと側面２２６ｃとは、赤色ＬＤ１１ａおよび緑色ＬＤ１１ｂから矢印Ｚ２方向に遠ざかるにつれて離間間隔Ｌが徐々に増加するように配置されている。この場合、第２実施形態では、側面２２６ｃがＺ２方向に沿って延びる垂直面であるのに対して、側面２２５ｃは、側面２２６ｃ（垂直面）に対して矢印Ｚ２方向に進むにしたがって矢印Ｙ１方向に離間するように曲げられている。
【００５８】
この場合も、図７に示すように、側面２２５ｃと側面２２６ｃとが互いに平行ではなく一方が他方に対して傾斜する位置関係にある。したがって、たとえば、ヒートシンク２２５が有する熱（温度）が曲面からなる側面２２５ｃを介して輻射伝熱によってヒートシンク２２６の側面２２６ｃに伝えられたとしても、側面２２６ｃ側では、側面２２５ｃからの熱は側面２２５ｃの元々の熱源（熱の放射源）の位置よりも下方（矢印Ｚ２方向）に反射される。また、側面２２６ｃで反射された熱（温度）は、側面２２５ｃ側では、側面２２６ｃの反射位置よりも下方（矢印Ｚ２方向）に反射される。側面２２５ｃと側面２２６ｃとの間ではこのような輻射伝熱が繰り返されるので、最終的に、側面２２５ｃまたは側面２２６ｃの下端側（Ｚ２側）から外部に熱が逃げる。なお、第２実施形態におけるＨＵＤ装置２００のその他の構成は、上記第１実施形態と同様である。
【００５９】
第２実施形態では、以下のような効果を得ることができる。
【００６０】
第２実施形態では、上記のように、ヒートシンク２２５の側面２２５ｃ（Ｙ１側）およびヒートシンク２２６の側面２２６ｃ（Ｙ２側）を、曲面および平坦面を対向させることによって側面２２５ｃと側面２２５ｃに対して相対的に傾斜した状態の側面２２６ｃとの離間間隔Ｌが赤色ＬＤ１１ａおよび緑色ＬＤ１１ｂから遠ざかる矢印Ｚ２方向に沿って増加するように構成する。これにより、側面２２５ｃと側面２２６ｃとの離間間隔Ｌを、赤色ＬＤ１１ａおよび緑色ＬＤ１１ｂから遠ざかる矢印Ｚ２方向に沿って確実に増加させることができる。特に、側面２２５ｃが曲面により構成されるので、繰り返し反射される輻射熱をヒートシンク２２５および２２６のより外部へ容易に導くことができる。なお、第２実施形態のその他の効果は、上記第１実施形態と同様である。
【００６１】
（第３実施形態）
次に、図５および図８を参照して、本発明の第３実施形態について説明する。この第３実施形態によるヘッドアップディスプレイ（ＨＵＤ）装置３００では、高さ方向（Ｚ方向）のみならず横方向（Ｘ方向）においても赤色ＬＤ１１ａおよび緑色ＬＤ１１ｂから遠ざかる方向に沿って側面３２５ｃと側面３２６ｃとの離間間隔Ｓ（離間間隔Ｔ）が徐々に増加するようにヒートシンク３２５および３２６を構成した例について説明する。なお、図中において、上記第１実施形態と同様の構成には、上記第１実施形態と同じ符号を付して図示している。なお、ＨＵＤ装置３００は、本発明の「プロジェクタ」の一例である。
【００６２】
本発明の第３実施形態によるＨＵＤ装置３００は、図８に示すように、ペルチェ素子２３ａおよび２３ｂの下方（紙面奥側）に配置されたヒートシンク３２５および３２６を備えている。なお、ヒートシンク３２５およびヒートシンク３２６は、それぞれ、本発明の「第１ヒートシンク」および「第２ヒートシンク」の一例である。
【００６３】
Ｙ１側に配置されたヒートシンク３２５は、フィン部３２５ｄ（紙面奥側に破線で示す）を有する側面３２５ｃを有している。また、側面３２５ｃは、ハウジング部２０の一方側（Ｘ１側）において矢印Ｘ１方向かつ矢印Ｙ１方向に斜めに延びる側面部３０５ａと、ハウジング部２０の他方側（Ｘ２側）において矢印Ｘ２方向かつ矢印Ｙ１方向に斜めに延びる側面部３０５ｂとを有している。また、Ｙ２側に配置されたヒートシンク３２６は、フィン部３２６ｄ（紙面奥側に破線で示す）を有する側面３２６ｃを有している。また、側面３２６ｃは、ハウジング部２０の一方側（Ｘ１側）において矢印Ｘ１方向かつ矢印Ｙ２方向に斜めに延びる側面部３０６ａと、ハウジング部２０の他方側（Ｘ２側）において矢印Ｘ２方向かつ矢印Ｙ２方向に斜めに延びる側面部３０６ｂとを有している。なお、側面３２５ｃおよび側面３２６ｃは、それぞれ、本発明の「第１対向面」および「第２対向面」の一例である。また、側面部３０５ａおよび側面部３０６ａは、それぞれ、本発明の「第１対向面」および「第２対向面」の一例である。また、側面部３０５ｂおよび側面部３０６ｂは、それぞれ、本発明の「第１対向面」および「第２対向面」の一例である。また、フィン部３２５ｄおよびフィン部３２６ｄは、それぞれ、本発明の「第１フィン部」および「第２フィン部」の一例である。
【００６４】
そして、互いに対向する側面３２５ｃと側面３２６ｃとは、赤色ＬＤ１１ａおよび緑色ＬＤ１１ｂから矢印Ｚ２方向に遠ざかるにつれて離間間隔Ｌ（図５参照）が徐々に増加するように配置されている。これに加えて、第３実施形態では、側面３２５ｃと側面３２６ｃとは、赤色ＬＤ１１ａおよび緑色ＬＤ１１ｂから前方方向（矢印Ｘ１方向）および後方（矢印Ｘ２方向）にそれぞれ遠ざかるにつれて離間間隔Ｓが徐々に増加するように配置されている。
【００６５】
具体的には、Ｘ１側において互いに対向する側面部３０５ａと側面部３０６ａとは、赤色ＬＤ１１ａおよび緑色ＬＤ１１ｂから一方方向（矢印Ｘ１方向）に遠ざかるにつれて離間間隔Ｓが徐々に増加するように配置されている。また、Ｘ２側において互いに対向する側面部３０５ｂと側面部３０６ｂとは、赤色ＬＤ１１ａおよび緑色ＬＤ１１ｂから他方方向（矢印Ｘ２方向）に遠ざかるにつれて離間間隔Ｔが徐々に増加するように配置されている。
【００６６】
これにより、側面３２５ｃと側面３２６ｃとは、Ｚ方向に加えてＸ方向（矢印Ｘ１方向および矢印Ｘ２方向）に沿っても一方が他方に対して傾斜する位置関係にある。したがって、ヒートシンク３２５が有する熱が側面３２５ｃを介して輻射伝熱によってヒートシンク３２６の側面３２６ｃに伝えられたとしても、側面３２６ｃの熱は、側面３２５ｃの元々の熱源（熱の放射源）の位置よりも下方（矢印Ｚ２方向）および横方向（矢印Ｘ１方向および矢印Ｘ２方向）にそれぞれ反射される。側面３２５ｃと側面３２６ｃとの間ではこのような輻射伝熱が繰り返されるので、最終的に、側面３２５ｃまたは側面３２６ｃの下端側（Ｚ２側）、前端側（Ｘ２側）および後端側（Ｘ１側）からそれぞれ外部に熱が逃げる。なお、第３実施形態におけるＨＵＤ装置３００のその他の構成は、上記第１実施形態と同様である。
【００６７】
第３実施形態では、以下のような効果を得ることができる。
【００６８】
第３実施形態では、上記のように、ヒートシンク３２５およびヒートシンク３２６は、それぞれ、赤色ＬＤ１１ａおよび緑色ＬＤ１１ｂから遠ざかる方向でかつ互いに略直交するＸ方向、Ｙ方向およびＺ方向に沿って延びるように形成されている。そして、側面３２５ｃに対する側面３２６ｃの離間間隔ＳおよびＴを、Ｘ方向（矢印Ｘ１方向および矢印Ｘ２方向）および矢印Ｚ２方向に沿ってそれぞれ増加するように構成する。これにより、ヒートシンク３２５およびヒートシンク３２６がどのような形状を有していても、矢印Ｘ１方向に沿って増加する離間間隔Ｓを有する側面部３０５ａおよび側面部３０６ａの間、矢印Ｘ２方向に沿って増加する離間間隔Ｔを有する側面部３０５ｂおよび側面部３０６ｂの間、および、矢印Ｚ２方向に沿って増加する離間間隔Ｌ（図５参照）を有する側面３２５ｃおよび側面３２６ｃの間では、輻射熱を外部へと逃がすことができる。このように、ヒートシンク３２５とヒートシンク３２６との対向面が２つの方向（Ｘ方向およびＺ方向）に離間するので、輻射熱が篭って互いに影響し合うことに起因した放熱性能の低下を効果的に抑制することができる。また、放熱性能が適切に維持されるので、光源装置１０が有する明るさや色合いなどの光学性能が損なわれるのを効果的に抑制することができる。なお、第３実施形態のその他の効果は、上記第１実施形態と同様である。
【００６９】
（第４実施形態）
次に、図２および図９を参照して、本発明の第４実施形態について説明する。この第４実施形態では、赤色ＬＤ１１ａ、緑色ＬＤ１１ｂおよび青色ＬＤ１１ｃの各々に対して互いに隣接配置されたヒートシンク４２５、４２６および４２７を設けてヘッドアップディスプレイ（ＨＵＤ）装置４００を構成した例について説明する。なお、図中において、上記第１実施形態と同様の構成には、上記第１実施形態と同じ符号を付して図示している。なお、ＨＵＤ装置４００は、本発明の「プロジェクタ」の一例である。
【００７０】
本発明の第４実施形態によるＨＵＤ装置４００は、図９に示すように、ＨＵＤ装置４００を裏側（Ｚ２側）から見た場合、３つのヒートシンク４２５、ヒートシンク４２６およびヒートシンク４２７を備えている。ヒートシンク４２５、４２６および４２７は、互いに所定の離間間隔を有して隣接配置されている。ここで、ヒートシンク４２５は、赤色ＬＤ１１ａ（図２参照）の熱を専用に放熱する役割を有する。また、ヒートシンク４２６は、緑色ＬＤ１１ｂ（図２参照）の熱を専用に放熱する役割を有する。また、ヒートシンク４２７は、青色ＬＤ１１ｃ（図２参照）の熱を専用に放熱する役割を有する。なお、ヒートシンク４２５およびヒートシンク４２６は、それぞれ、本発明の「第１ヒートシンク」および「第２ヒートシンク」の一例である。また、ヒートシンク４２５およびヒートシンク４２７は、それぞれ、本発明の「第１ヒートシンク」および「第２ヒートシンク」の一例である。また、ヒートシンク４２６およびヒートシンク４２７は、それぞれ、本発明の「第１ヒートシンク」および「第２ヒートシンク」の一例である。
【００７１】
また、Ｙ１側に配置されたヒートシンク４２５は、Ｙ２側に配置されたヒートシンク４２６および４２７に対向する１つの側面４２５ｃを有している。また、Ｙ２側に配置されたヒートシンク４２６および４２７は、ヒートシンク４２５に対向する側面４２６ｃおよび側面４２７ｃをそれぞれ有している。また、Ｘ２側に配置されたヒートシンク４２６およびＸ１側に配置されたヒートシンク４２７は、互いに対向する側面４２６ｅおよび側面４２７ｅを有している。なお、側面４２５ｃおよび側面４２６ｃは、それぞれ、本発明の「第１対向面」および「第２対向面」の一例である。また、側面４２５ｃおよび側面４２７ｃは、それぞれ、本発明の「第１対向面」および「第２対向面」の一例である。また、側面４２６ｅおよび側面４２７ｅは、それぞれ、本発明の「第１ヒートシンクの第１対向面」および「第２ヒートシンクの第２対向面」の一例である。
【００７２】
そして、第４実施形態では、側面４２５ｃと側面４２６ｃとは、赤色ＬＤ１１ａ（図２参照）および緑色ＬＤ１１ｂ（図２参照）から矢印Ｚ２方向に遠ざかるにつれて離間間隔Ｌが徐々に増加するように配置されている。また、側面４２５ｃと側面４２７ｃとは、赤色ＬＤ１１ａ（図２参照）および青色ＬＤ１１ｃ（図２参照）から矢印Ｚ２方向に遠ざかるにつれて離間間隔Ｌが徐々に増加するように配置されている。また、側面４２６ｅと側面４２７ｅとは、緑色ＬＤ１１ｂおよび青色ＬＤ１１ｃから矢印Ｚ２方向に遠ざかるにつれて離間間隔Ｕが徐々に増加するように配置されている。なお、第４実施形態におけるＨＵＤ装置４００のその他の構成は、上記第１実施形態と同様である。
【００７３】
第４実施形態では、以下のような効果を得ることができる。
【００７４】
第４実施形態では、上記のように、３つのヒートシンク４２５、４２６および４２７を備えている。そして、ヒートシンク４２５の側面４２５ｃとヒートシンク４２６の側面４２６ｃとの離間間隔Ｌおよび側面４２５ｃとヒートシンク４２７の側面４２７ｃとの離間間隔Ｌが共に光源部（赤色ＬＤ１１ａ、緑色ＬＤ１１ｂおよび青色ＬＤ１１ｃ）から遠ざかる矢印Ｚ２方向に沿って増加するようにＨＵＤ装置４００を構成する。また、ヒートシンク４２６の側面４２６ｅとヒートシンク４２７の側面４２７ｅとの離間間隔Ｕが光源部（赤色ＬＤ１１ａ、緑色ＬＤ１１ｂおよび青色ＬＤ１１ｃ）から遠ざかる矢印Ｚ２方向に沿って増加するようにＨＵＤ装置４００を構成する。これにより、矢印Ｚ２方向に沿って増加する離間間隔Ｌを有する側面４２５ｃおよび側面４２６ｃ（４２７ｃ）の間と、矢印Ｚ２方向に沿って増加する離間間隔Ｕを有する側面４２６ｅおよび側面４２７ｅの間とにおいて、共に輻射熱を外部へと容易に逃がすことができる。これにより、輻射熱が篭って互いに影響し合うことに起因した放熱性能の低下を効果的に抑制することができる。また、光源装置１０の光学性能も高く維持することができる。なお、第４実施形態のその他の効果は、上記第１実施形態と同様である。
【００７５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７６】
たとえば、上記第１〜第４実施形態では、赤色ＬＤ１１ａを冷却するペルチェ素子２３ａおよび緑色ＬＤ１１ｂを冷却するペルチェ素子２３ｂを光源装置１０内に設けた例について示したが、本発明はこれに限られない。すなわち、ペルチェ素子２３ａおよび２３ｂなどを設けることなく赤色ＬＤ１１ａをヒートシンク２５を介して直接的に冷却しかつ緑色ＬＤ１１ｂをヒートシンク２６を介して直接的に冷却するようにＨＵＤ装置１００〜４００を構成した場合においても、本発明を適用することができる。
【００７７】
また、上記第１〜第４実施形態では、ヒートシンク２５（２２５、３２５、４２５）、ヒートシンク２６（２２６、３２６、４２６）およびヒートシンク４２７を介して光源装置１０内の熱を外部大気に放熱させた例について示したが、本発明はこれに限られない。たとえば、フィン部などを設けることなくブロック状のヒートシンクを備え、ヒートシンクの他端（光源部とは反対側の端部近傍領域）がヒートパイプまたは冷却水管に接続されてヒートパイプまたは冷却水管を介して外部に放熱するようにＨＵＤ装置（プロジェクタ）を構成してもよい。このようなＨＵＤ装置（プロジェクタ）においても、互いに隣接配置されたブロック状のヒートシンクに対して、対向面同士の離間間隔Ｌが光源部から遠ざかる方向に増加するように構成されていればよい。
【００７８】
また、上記第１〜第４実施形態では、薄板状のフィン部２５ｄ（２６ｄ、２２５ｄ、２２６ｄ、３２５ｄ、３２６ｄ）を有するようにヒートシンク２５（２２５、３２５、４２５）、ヒートシンク２６（２２６、３２６、４２６）およびヒートシンク４２７を構成した例について示したが、本発明はこれに限られない。たとえば、ピン状のフィン（ピンフィン）を用いて互いに隣接配置されるように構成された複数のヒートシンクに対しても、本発明を適用することができる。
【００７９】
また、上記第１〜第４実施形態では、アルミニウムを用いてヒートシンク２５（２２５、３２５、４２５）、ヒートシンク２６（２２６、３２６、４２６）およびヒートシンク４２７を構成した例について示したが、本発明はこれに限られない。たとえば、アルミニウム合金や銅、鉄などの他の金属を用いて本発明の「第１ヒートシンク」および「第２ヒートシンク」を構成してもよい。
【００８０】
また、上記第２実施形態では、曲面からなる側面２２５ｃと平坦面（垂直面）からなる側面２２６ｃとを対向させた例について示したが、本発明はこれに限られない。すなわち、互いに曲面からなる本発明の「第１対向面」と「第２対向面」とを対向させてもよい。この場合、各々の対向面が互いに離間することにより、赤色ＬＤ１１ａおよび緑色ＬＤ１１ｂからから遠ざかるにつれて対向空間（離間空間）が末広がり状に広がるように構成するのが好ましい。本発明の「第１対向面」および「第２対向面」が共に曲面である場合には、繰り返し反射される輻射熱を「第１ヒートシンク」および「第２ヒートシンク」のより外部へ容易に導くことができる。
【００８１】
また、上記第２実施形態では、曲面からなる側面２２５ｃと平坦面（垂直面）からなる側面２２６ｃとを対向させた例について示したが、本発明はこれに限られない。すなわち、平坦面（垂直面または斜面）からなる側面２２５ｃと曲面からなる側面２２６ｃとを対向させるように構成してもよい。
【００８２】
また、上記第１実施形態では、直線的に延びる単一の平坦面からなる側面２５ｃおよび側面２６ｃを相対的に傾斜させて赤色ＬＤ１１ａおよび緑色ＬＤ１１ｂから遠ざかる方向に離間間隔Ｌを増加させるように構成した例について示したが、本発明はこれに限られない。たとえば、赤色ＬＤ１１ａおよび緑色ＬＤ１１ｂから遠ざかる方向に離間間隔Ｌを増加させるのであれば、側面２５ｃおよび側面２６ｃを、それぞれ、徐々に折れ曲がる（屈曲させる）ように形成することにより側面２５ｃおよび側面２６ｃを互いに傾斜させてもよい。
【００８３】
また、上記第１〜第３実施形態では、側面２５ｃと側面２６ｃとを、櫛歯状の断面形状を有するフィン部２５ｄ（２２５ｄ、３２５ｄ）およびフィン部２６ｄ（２２６ｄ、３２６ｄ）が互いに対向するように構成した例について示したが、本発明はこれに限られない。薄板状（平板状）のフィン部の延びる方向に沿って本発明の「第１対向面」と「第２対向面」とが互いに対向するように「第１ヒートシンク」および「第２ヒートシンク」を隣接配置するようにしてもよい。この場合、フィン部全体が、ヒートシンクの根元部から互いに離間する方向に所定角度だけ傾斜していてもよい。
【００８４】
また、上記第４実施形態では、隣接する３つのヒートシンク４２５、４２６および４２７の間において各々の対向面（側面４２５ｃおよび側面４２６ｃ（側面４２７ｃ）の対向関係、側面４２６ｅおよび側面４２７ｅの対向関係）の離間間隔Ｌを共に矢印Ｚ２方向に増加させる例について示したが、本発明はこれに限られない。すなわち、上記第３実施形態で示したように、側面４２５ｃおよび側面４２６ｃ（側面４２７ｃ）の対向関係をその離間間隔が矢印Ｘ１方向および矢印Ｘ２方向（図９参照）に沿っても増加させ、かつ、側面４２６ｅおよび側面４２７ｅの対向関係をその離間間隔が矢印Ｙ２方向（図９参照）に沿っても増加させるように構成してもよい。この変形例のように構成すれば、Ｘ方向、Ｙ方向およびＺ方向の全てにおいて３つのヒートシンク４２５、４２６および４２７の各々の対向面の離間間隔ＬおよびＵが増加するので、各方向に沿って延びる対向空間（離間空間）を有効に利用して輻射熱を外部へと逃がすことができる。これにより、輻射熱が互いに影響し合うことに起因した放熱性能の低下を最大限に抑制することができる。
【００８５】
また、上記第１〜第４実施形態では、本発明のプロジェクタとして、ＨＵＤ装置１００〜４００に本発明を適用した例について示したが、本発明はこれに限られない。ヘッドアップディスプレイ装置を用いる例を示したが、本発明はこれに限らない。ヘッドアップディスプレイ（ＨＵＤ）装置以外の、たとえば、レーザ光をフロントガラスとは異なるスクリーンに投影させるプロジェクタに対しても、本発明を適用することが可能である。
【００８６】
また、上記第１〜第４実施形態では、本発明の光源部として、レーザダイオード（ＬＤ）を用いる例を示したが、本発明はこれに限られない。本発明は、光源部としてレーザダイオード以外を用いてもよい。たとえば、発光ダイオード（ＬＥＤ）を用いてもよい。
【００８７】
また、上記第１〜第４実施形態では、本発明の複数の光源部として、３つのレーザダイオード（ＬＤ）を用いる例を示したが、本発明はこれに限られない。本発明は、３つ以外の数レーザダイオード（ＬＤ）を用いてもよい。たとえば、レーザダイオード（ＬＤ）を２つ用いてもよいし、レーザダイオード（ＬＤ）を４つ以上用いてもよい。
【符号の説明】
【００８８】
１０  光源装置
１１ａ  赤色ＬＤ（第１光源部）
１１ｂ  緑色ＬＤ（第２光源部）
１１ｃ  青色ＬＤ（第２光源部）
２３ａ  ペルチェ素子（第１ペルチェ素子）
２３ｂ  ペルチェ素子（第２ペルチェ素子）
２５、２２５、３２５  ヒートシンク（第１ヒートシンク）
２５ｃ、２２５ｃ、３２５ｃ  側面（第１対向面）
２５ｄ、２２５ｄ、３２５ｄ  フィン部（第１フィン部）
２６、２２６、３２６  ヒートシンク（第２ヒートシンク）
２６ｃ、２２６ｃ、３２６ｃ  側面（第２対向面）
２６ｄ、２２６ｄ、３２６ｄ  フィン部（第２フィン部）
３０  制御部
５０  光走査部
１００、２００、３００、４００  ＨＵＤ装置（プロジェクタ）
３０５ａ、３０５ｂ  側面部（第１対向面）
３０６ａ、３０６ｂ  側面部（第２対向面）
４２５  ヒートシンク（第１ヒートシンク）
４２５ｃ  側面（第１対向面）
４２６  ヒートシンク（第２ヒートシンク、第１ヒートシンク）
４２６ｃ  側面（第２対向面）
４２６ｅ  側面（第１ヒートシンクの第１対向面）
４２７  ヒートシンク（第２ヒートシンク）
４２７ｃ  側面（第２対向面）
４２７ｅ  側面（第２ヒートシンクの第２対向面）
【図１】
2016006931.tif 000003
【図２】
2016006931.tif 000004
【図３】
2016006931.tif 000005
【図４】
2016006931.tif 000006
【図５】
2016006931.tif 000007
【図６】
2016006931.tif 000008
【図７】
2016006931.tif 000009
【図８】
2016006931.tif 000010
【図９】
2016006931.tif 000011